(57)【特許請求の範囲】
【請求項１】
通信端末と第１の対向機器との間で無線通信する第１の無線通信手段と、
前記通信端末と前記第１の対向機器との間で無線通信する第２の無線通信手段と、
前記通信端末と前記第１の対向機器とが互いに前記第１の無線通信手段により無線通信可能な範囲で近接する場合に、前記第１の無線通信手段から前記第２の無線通信手段に通信方式を切り替える通信方式切替要求を、前記第１の無線通信手段が前記第１の対向機器から受信するとき、前記第１の無線通信手段を用いて前記通信方式切替要求に対して前記第１の対向機器に応答するとともに、前記通信方式切替要求に基づいて、前記第１の無線通信手段から前記第２の無線通信手段に通信方式を切り替える通信方式切替制御手段と、
前記第２の無線通信手段が受信する前記第１の対向機器からの接続要求のみを受け付け、前記第１の対向機器からの接続要求に対して前記第２の無線通信手段を用いて応答し、前記第１の無線通信手段を用いて取得される前記第１の対向機器からの機器情報とセキュリティ情報に基づいて、前記第２の無線通信手段を用いて前記第１の対向機器との間でのペアリングを制御するペアリング制御手段と、
前記第２の無線通信手段を用いた前記第１の対向機器からの接続要求の受信を待機する受信待機時間を設定する設定手段とを備え、
前記ペアリング制御手段は、前記設定手段により設定される前記受信待機時間が経過するまでの間に前記第２の無線通信手段が受信する前記第１の対向機器からの接続要求のみを受け付け、
前記通信方式切替制御手段は、前記設定手段により設定される前記受信待機時間が経過するまでの間に、前記ペアリング制御手段によりペアリング処理と異なる動作に関する要求を受け付ける場合、前記通信方式切替要求を破棄し、
前記通信方式切替制御手段は、前記設定手段により設定される前記受信待機時間が経過した場合、前記通信方式切替要求を破棄することを特徴とする通信端末。
【請求項２】
通信端末と第１の対向機器との間で無線通信する第１の無線通信手段と、
前記通信端末と前記第１の対向機器との間で無線通信する第２の無線通信手段と、
前記通信端末と前記第１の対向機器とが互いに前記第１の無線通信手段により無線通信可能な範囲で近接する場合に、前記第１の無線通信手段から前記第２の無線通信手段に通信方式を切り替える通信方式切替要求を、前記第１の無線通信手段が前記第１の対向機器から受信するとき、前記第１の無線通信手段を用いて前記通信方式切替要求に対して前記第１の対向機器に応答するとともに、前記通信方式切替要求に基づいて、前記第１の無線通信手段から前記第２の無線通信手段に通信方式を切り替える通信方式切替制御手段と、
前記通信端末が前記第１の対向機器に対して接続要求を送信する場合に、前記第２の無線通信手段が受信する前記第１の対向機器からの接続要求のみを受け付け、前記第１の対向機器からの接続要求に対して前記第２の無線通信手段を用いて応答し、前記第１の無線通信手段を用いて取得される前記第１の対向機器からの機器情報とセキュリティ情報に基づいて、前記第２の無線通信手段を用いて前記第１の対向機器との間でのペアリングを制御するペアリング制御手段と、
前記第２の無線通信手段を用いた前記第１の対向機器に対する接続要求の送信を完了するまでの送信時間を設定する設定手段とを備え、
前記ペアリング制御手段は、前記第２の無線通信手段を用いた前記第１の対向機器に対する接続要求の送信が完了せずに、かつ前記設定手段により設定される前記送信時間が経過するまでの間に前記第２の無線通信手段が受信する前記第１の対向機器からの接続要求のみを受け付け、
前記通信方式切替制御手段は、前記設定手段により設定される前記送信時間が経過するまでの間に、前記ペアリング制御手段によりペアリング処理と異なる動作に関する要求を受け付ける場合、前記通信方式切替要求を破棄し、
前記通信方式切替制御手段は、前記設定手段により設定される前記送信時間が経過した場合、前記通信方式切替要求を破棄することを特徴とする通信端末。
【請求項３】
前記第１の無線通信手段は、NFCを用いた非接触の通信方式であることを特徴とする請求項１又は２に記載の通信端末。
【請求項４】
前記第２の無線通信手段は、BluetoothまたはWLANの通信方式であることを特徴とする請求項１又は２に記載の通信端末。
【発明の詳細な説明】
【技術分野】
【０００１】
本発明は通信端末に係り、特に、対向機器との間でペアリングすることにより接続を確立することができるようにした通信端末に関する。
【背景技術】
【０００２】
近年、携帯電話機を含む通信端末に適用することができる無線通信技術として例えばブルートゥース（Bluetooth（登録商標））が知られている。ブルートゥースの無線通信技術を用いることにより、携帯電話機を含む通信端末は、オーディオケーブルを用いることなくヘッドセットなどの対向機器にオーディオデータを転送することができる。携帯電話機を含む通信端末がブルートゥースの無線通信技術を用いてペアリングする場合の仕様として、Bluetooth SIGで規定されるBluetooth Specification version2.1+EDR（非特許文献１参照）が知られている。一方、携帯電話機を含む通信端末がNFC（Near Field Communication）によってハンドオーバー（通信方式を切り替える）する他の無線通信方式を決定するためのネゴシエーションに関する仕様として、NFC（Near Field Communication） Forumで規定されるConnection Handover Technical Specification（非特許文献２参照）が知られている。なお、NFCは、１０乃至３０ｃｍ程度の距離で行われる近距離無線通信技術の国際規格である。
【０００３】
Bluetooth Specification version2.1+EDRとConnection Handover Technical Specificationの２つの仕様に準拠する通信端末は、少なくともブルートゥースの無線通信方式に適用可能な通信部と、NFCの無線通信方式に適用可能な通信部を有しており、異なる２つの通信方式の間でハンドオーバー（通信方式を切り替える）することができる。
【先行技術文献】
【非特許文献】
【０００４】
【非特許文献１】Bluetooth Specification version2.1+EDR（Bluetooth SIG）
【非特許文献２】Connection Handover Technical Specification（NFC Forum）
【発明の概要】
【発明が解決しようとする課題】
【０００５】
Bluetooth Specification version2.1+EDRにおいてはSecure Simple Pairing（SSP）と呼ばれるペアリング方式が規定されている。このSSPのペアリング方式のうちの１つとしてOut Of Band（OOB）と呼ばれるペアリング方式が規定される。このOOBと呼ばれるペアリング方式の場合、通信端末は、ブルートゥースを用いて近距離無線通信する対向機器との間でのペアリングする際に必要となる対向機器の機器情報とセキュリティ情報を、ブルートゥース以外の通信方式（例えばNFCの無線通信方式など）を用いて対向機器から取得する仕組みを定めている。
【０００６】
Bluetooth Specification version2.1+EDRとConnection Handover Technical Specificationの２つの仕様に準拠する通信端末は、NFCを用いたハンドオーバー（通信方式を切り替える）するためのネゴシエーションに基づいて、NFCの通信方式とは異なる通信方式であるブルートゥースにハンドオーバーする。しかしながら、通信端末が対向機器から接続要求を受信する場合に、通信端末がNFCの通信方式からブルートゥースの通信方式にハンドオーバーしたとしても、ハンドオーバー時にブルートゥースが利用可能な状態でない限り、通信端末は最終的に対向機器との間でブルートゥースを用いて接続を確立することはできない。具体的には、通信端末が対向機器からの接続要求を受信する場合であっても、通信端末は、省電力の観点からブルートゥース通信部を極力停止することが想定される。このような状況下においては、ハンドオーバー時にブルートゥースが必ずしも常に利用可能な状態であるとは限られず、たとえ通信端末がNFCの通信方式からブルートゥースの通信方式にハンドオーバーしたとしても、通信端末は最終的に対向機器との間でブルートゥースを用いて接続を確立することができない場合があり得る。
【０００７】
このような場合、NFCの通信方式からブルートゥースの通信方式へのハンドオーバーに関するネゴシエーションに成功した対向機器が、対向機器と通信端末との間でブルートゥースを用いた接続が確立されるまで、接続要求を通信端末に対して繰り返し送信し続けるという課題が生じる。ところが、Bluetooth Specification version2.1+EDRとConnection Handover Technical Specificationの２つの仕様のいずれにおいても、このような課題を解決するための実運用上の動作について何ら規定されていない。
【０００８】
また、通信端末が第１の対向機器との間でNFCを用いてハンドオーバーに関するネゴシエーションをした後にNFCの通信方式からブルートゥースの通信方式へハンドオーバーしてブルートゥースによるSecure Simple Pairing（SSP）を開始するまでの間に、通信端末は、通信端末がNFCを用いてハンドオーバーに関するネゴシエーションをした第１の対向機器と異なる第２の対向機器から接続要求を受信してしまうという課題があった。この場合、通信端末が第２の対向機器から接続要求を受信した後に第１の対向機器から接続要求を受信したとしても、通信端末は、第１の対向機器に対してブルートゥースへのハンドオーバーを許可したにもかかわらず第１の対向機器からの接続要求に基づくSSPの要求（認証要求）を受け入れることができないという課題が生じる。ところが、Bluetooth Specification version2.1+EDRとConnection Handover Technical Specificationの２つの仕様のいずれにおいても、このような課題を解決するための実運用上の動作について何ら規定されていない。
【０００９】
本発明は、このような状況に鑑みてなされたものであり、第１の通信部を用いて通信方式の切り替えに関するネゴシエーションをした後に、第２の通信部を用いた接続要求を対向機器から好適に受け入れることができる通信端末を提供することを目的とする。
【００１０】
また、本発明は、第１の通信部を用いて通信方式の切り替えに関するネゴシエーションをした後に第２の通信部による認証を開始するまでの間に、第２の通信部を用いた接続要求を所望の対向機器から好適に受け入れることができる通信端末を提供することを目的とする。
【課題を解決するための手段】
【００１２】
本発明の通信端末は、上述した課題を解決するために、通信端末と第１の対向機器との間で無線通信する第１の無線通信手段と、通信端末と第１の対向機器との間で無線通信する第２の無線通信手段と、通信端末と第１の対向機器とが互いに第１の無線通信手段により無線通信可能な範囲で近接する場合に、第１の無線通信手段から第２の無線通信手段に通信方式を切り替える通信方式切替要求を、第１の無線通信手段が第１の対向機器から受信するとき、第１の無線通信手段を用いて通信方式切替要求に対して第１の対向機器に応答するとともに、通信方式切替要求に基づいて、第１の無線通信手段から第２の無線通信手段に通信方式を切り替える通信方式切替制御手段と、第２の無線通信手段が受信する第１の対向機器からの接続要求のみを受け付け、第１の対向機器からの接続要求に対して第２の無線通信手段を用いて応答し、第１の無線通信手段を用いて取得される第１の対向機器からの機器情報とセキュリティ情報に基づいて、第２の無線通信手段を用いて第１の対向機器との間でのペアリングを制御するペアリング制御手段と、第２の無線通信手段を用いた第１の対向機器からの接続要求の受信を待機する受信待機時間を設定する設定手段とを備え、ペアリング制御手段は、設定手段により設定される前記受信待機時間が経過するまでの間に第２の無線通信手段が受信する第１の対向機器からの接続要求のみを受け付け、通信方式切替制御手段は、設定手段により設定される受信待機時間が経過するまでの間に、ペアリング制御手段によりペアリング処理と異なる動作に関する要求を受け付ける場合、通信方式切替要求を破棄し、前記通信方式切替制御手段は、前記設定手段により設定される前記受信待機時間が経過した場合、前記通信方式切替要求を破棄することを特徴とする。
【００１３】
本発明の通信端末は、上述した課題を解決するために、通信端末と第１の対向機器との間で無線通信する第１の無線通信手段と、通信端末と第１の対向機器との間で無線通信する第２の無線通信手段と、通信端末と第１の対向機器とが互いに第１の無線通信手段により無線通信可能な範囲で近接する場合に、第１の無線通信手段から第２の無線通信手段に通信方式を切り替える通信方式切替要求を、第１の無線通信手段が第１の対向機器から受信するとき、第１の無線通信手段を用いて通信方式切替要求に対して第１の対向機器に応答するとともに、通信方式切替要求に基づいて、第１の無線通信手段から第２の無線通信手段に通信方式を切り替える通信方式切替制御手段と、通信端末が第１の対向機器に対して接続要求を送信する場合に、第２の無線通信手段が受信する第１の対向機器からの接続要求のみを受け付け、第１の対向機器からの接続要求に対して第２の無線通信手段を用いて応答し、第１の無線通信手段を用いて取得される第１の対向機器からの機器情報とセキュリティ情報に基づいて、第２の無線通信手段を用いて第１の対向機器との間でのペアリングを制御するペアリング制御手段と、第２の無線通信手段を用いた第１の対向機器に対する接続要求の送信を完了するまでの送信時間を設定する設定手段とを備え、ペアリング制御手段は、第２の無線通信手段を用いた第１の対向機器に対する接続要求の送信が完了せずに、かつ設定手段により設定される送信時間が経過するまでの間に第２の無線通信手段が受信する第１の対向機器からの接続要求のみを受け付け、通信方式切替制御手段は、設定手段により設定される送信時間が経過するまでの間に、ペアリング制御手段によりペアリング処理と異なる動作に関する要求を受け付ける場合、通信方式切替要求を破棄し、前記通信方式切替制御手段は、前記設定手段により設定される前記送信時間が経過した場合、前記通信方式切替要求を破棄することを特徴とする。
【発明の効果】
【００１４】
本発明によれば、第１の通信部を用いて通信方式の切り替えに関するネゴシエーションをした後に、第２の通信部を用いた接続要求を対向機器から好適に受け入れることができる。
【００１５】
また、本発明によれば、第１の通信部を用いて通信方式の切り替えに関するネゴシエーションをした後に第２の通信部による認証を開始するまでの間に、第２の通信部を用いた接続要求を所望の対向機器から好適に受け入れることができる。
【図面の簡単な説明】
【００１６】
【図１】本発明に係る通信端末に適用可能な携帯電話機の内部の構成を示すブロック図。
【図２】（Ａ）乃至（Ｃ）は、Out Of Band（OOB）と呼ばれるペアリング方式の場合に、本発明に係る携帯電話機１−１と携帯電話機１−２との間においてNFC通信部を用いた通信の様子を示す図。
【図３】携帯電話機１−１と携帯電話機１−２がブルートゥース通信部を用いてペアリングを行う場合における、図１の携帯電話機１−１におけるペアリング制御処理を説明するフローチャート。
【図４】図３のフローチャートを用いて説明するペアリング制御処理を実行する際の、携帯電話機１−１（自機）と携帯電話機１−２（対向機器）との間における具体的な処理を示すシーケンス図。
【図５】携帯電話機１−１と携帯電話機１−２がブルートゥース通信部を用いてペアリングを行う場合における、図１の携帯電話機１−１における他のペアリング制御処理を説明するフローチャート。
【図６】図５のフローチャートを用いて説明するペアリング制御処理を実行する際の、携帯電話機１−１（自機）と携帯電話機１−２（対向機器）との間における具体的な処理を示すシーケンス図。
【図７】携帯電話機１−１と携帯電話機１−２がブルートゥース通信部を用いてペアリングを行う場合における、図１の携帯電話機１−１における他のペアリング制御処理を説明するフローチャート。
【発明を実施するための形態】
【００１７】
以下、本発明の実施の形態について、図面を参照しながら説明する。図１は、本発明に係る通信端末に適用可能な携帯電話機１の内部の構成を表している。携帯電話機１は、送受信アンテナ１１、送受信共用器１２、無線送受信部１３、信号処理部１４、データ処理部１５、ＰＣＭコーデック１６、受話増幅器１７、レシーバ１８、送話増幅器１９、マイクロフォン２０、制御部２１、操作部２２、表示部２３、コンテンツ処理部２４、ブルートゥース通信部２５、NFC通信部２６、および記憶部２７を備える。
【００１８】
送受信アンテナ１１は、携帯電話機１が対応する移動体通信システムの電波を送波し、携帯電話機１が対応する移動体通信システムの電波を受波する。送受信共用器１２は、サーキュレータやデュプレクサなどからなり、送受信アンテナ１１で受波（受信）された電波を無線送受信部１３に送る。また、送受信共用器１２は、無線送受信部１３から入力された信号を送受信アンテナ１１へ送る。無線送受信部１３は、帯域通過フィルタ、利得調整回路、およびＡ／Ｄ変換器などを備え、制御部２１から指示されるキャリア周波数の無線信号を受信し、周波数シンセサイザから出力された局部発振信号とミキシングして中間周波数信号に周波数変換（ダウンコンバート）し、ダウンコンバートされた中間周波数信号を直交復調して受信ベースバンド信号を生成する。無線送受信部１３の帯域通過フィルタは、移動体通信システムに属する基地局から送信される無線信号を受信し、この受信した信号から所望帯域外の雑音を除去する。また、無線送受信部１３の利得調整回路は、利得調整回路の後段に設けられるＡ／Ｄ変換器が扱える信号振幅に調整する。無線送受信部１３のＡ／Ｄ変換器は、帯域通過フィルタを通過した信号をベースバンドのディジタル信号に変換する。
【００１９】
信号処理部１４は、無線送受信部１３から出力された受信ベースバンド信号（受信ベースバンドディジタル信号）に対してベースバンド処理を行う。データ処理部１５は、例えばＤＳＰ（Digital Signal Processor）などからなり、信号処理部１４でベースバンド処理されたベースバンド信号をデータおよび音声に変換する。すなわち、データ処理部１５は、受信パケットデータをまずメディア毎に分離し、分離されたメディア毎のデータに対してそれぞれ復号処理を施す。具体的には、データ処理部１５は、例えば受信パケットデータにオーディオデータが含まれている場合、オーディオデータをスピーチコーデックにより復号する。また、データ処理部１５は、受信パケットデータに動画像データが含まれている場合、動画像データをビデオコーデックにより復号する。さらに、データ処理部１５は、受信パケットデータがダウンロードコンテンツである場合、ダウンロードコンテンツを伸長する。復号処理により得られたディジタルオーディオ信号は、ＰＣＭコーデック１６によりＰＣＭ復号された後、受話増幅器１７により増幅されてレシーバ１８により出力される。一方、ビデオコーデックにより復号されたディジタル動画像信号は、制御部２１を介して表示部２３に供給され表示される。
【００２０】
なお、無線送受信部１３と信号処理部１４は、移動体通信システムに属する基地局に対して通信データを送信するための送信ベースバンド処理や無線処理等の一連の処理を行う。
【００２１】
制御部２１は、CPU（Central Processing Unit）、ROM（Read Only Memory）、およびRAM（Random Access Memory）などからなる。制御部２１のCPUは、ROMに記憶されているプログラムまたは記憶部２７からRAMにロードされた、オペレーティングシステム（OS）を含む各種のアプリケーションプログラムや制御プログラムに従って各種の処理を実行するとともに、種々の制御信号を生成し、各部に供給することにより移動無線端末１を統括的に制御する。RAMは、CPUが各種の処理を実行する上において必要なデータなどを適宜記憶する。具体的には、制御部２１は、移動体通信システムによる音声通信やデータ通信を実現する制御機能を備える。また、制御部２１は、通信制御を行う場合、送受信アンテナ１１、無線送受信部１３、信号処理部１４、データ処理部１５、ＰＣＭコーデック１６、受話増幅器１７、レシーバ１８、送話増幅器１９、およびマイクロフォン２０などを用いた通信処理を制御する。一方、制御部２１は、操作部２２、表示部２３、記憶部２７、および図示せぬ時計回路などを用いたＵＩ処理に関して制御を行う。
【００２２】
コンテンツ処理部２４は、例えば音楽プレイヤを制御する際に、例えばＡＡＣやＭＰ３などの符号化方式で符号化されたオーディオデータを、一旦、その符号化方式に対応する復号化方式で復号化した後、他の符号化方式（例えばＳＢＣ（Sub Band Coding）など）によって再符号化処理などを施す。ブルートゥース通信部２５は、携帯電話機１が備える近距離無線通信部の１つであり、例えばブルートゥース（Bluetooth（登録商標））による無線通信を行うモジュールなどからなる。ブルートゥース通信部２５は、携帯電話機１の近傍に存在するヘッドセットや他の携帯電話機１などと無線通信を行う。勿論、ブルートゥース以外の無線通信（例えば赤外線通信）を用いるようにしてもよい。
【００２３】
NFC通信部２６は、携帯電話機１が備える近距離無線通信部の１つであり、１０乃至３０ｃｍ程度の距離で行われる近距離無線通信技術の国際規格であるNFCに適用可能なモジュールからなる。NFC通信部２６は、非接触ＩＣカードとして機能し例えば交通乗車券や入退出管理カードとして用いることが可能であり、携帯電話機１が図示せぬＩＣリーダ／ライタに近接され、そのＩＣリーダ／ライタから輻射される電磁波を受信したとき、それに応じて、各種の情報を用いてＩＣリーダ／ライタと無線通信を行う。また、図１の携帯電話機１は、NFC通信部２６を備える他の携帯電話機１との間でNFCを用いてデータ通信することが可能である。NFC通信部２６を用いた近距離無線通信の場合、互いのNFC通信部２６を至近距離に近づける必要があるため、セキュリティの確認手続きが簡略化されている。
【００２４】
記憶部２７は、例えば、電気的に書換えや消去が可能な不揮発性メモリであるフラッシュメモリ素子やHDD（Hard Disc Drive）などからなり、制御部２１のCPUにより実行される種々のアプリケーションプログラムや種々のデータ群、携帯電話機１の制御プログラムや制御データを格納する。この他にも、記憶部２７は、名前と電話番号を対応づけた電話帳データや、データ通信により取得したデータやダウンロードしたデータを適宜記憶する。また、携帯電話機１は、バッテリの出力を基に所定の動作電源電圧Ｖｃｃを生成して各回路部に供給する電源回路や、現在の時刻を測定する時計回路（タイマ）を備える。
【００２５】
なお、携帯電話機１は、受話増幅器１７、受話音声信号を拡声出力するレシーバ１８、送話増幅器１９、送話音声信号を入力するマイクロフォン２０、ユーザからの要求を受け付ける操作部２３、および受信データに基づく画像を表示する表示部２４を備える。
【００２６】
ここで、本発明に係る携帯電話機１は、上述したように、ブルートゥース通信部２５とNFC通信部２６の２つの近距離無線通信部を備えており、ブルートゥース通信部２５とNFC通信部２６の２つの近距離無線通信部を同様に備える他の携帯電話機１（対向機器）との間で大容量のデータを送受信する場合、まず互いのNFC通信部２６を用いて互いの携帯電話機１に固有の機器情報（デバイスアドレスなどを含む情報）をネゴシエーションによってやり取りする。次に、携帯電話機１は、NFC通信部２６を介したネゴシエーションによって取得される他の携帯電話機１の機器情報を用いて、互いのブルートゥース通信部２５によって認証処理を含むペアリングを行う。その後、携帯電話機１は、他の携帯電話機１との間でブルートゥース通信部２５を用いて大容量のデータを送受信する。ここで、第１段階でまずセキュリティの確認手続きが簡略化されているNFC通信部２６を用いた近距離無線通信を行い、その後、第２段階でNFC通信よりも高速にデータ通信することが可能なブルートゥース通信部２５を用いた近距離無線通信に切り替える（引き継ぐ）ことを「ハンドオーバー」と定義する。すなわち、「ハンドオーバー」とは、近距離無線通信方式の切り替えを意味する。
【００２７】
そして、NFC通信部２６を介したネゴシエーションによって取得される他の携帯電話機１の機器情報は、NFC通信部２６を介したネゴシエーション時に受信される他の携帯電話機１からのハンドオーバー要求に含まれている。本発明に係る携帯電話機１は、他の携帯電話機１からハンドオーバー要求を受信した場合にブルートゥース通信部２５が利用可能状態であるときには、ブルートゥース通信部２５によって認証処理を含むペアリングを行う。従って、このハンドオーバー要求は、近距離無線通信方式の切り替えの要求という意味だけでなく、ブルートゥース通信部２５を用いたペアリングの要求に他ならない。その意味では、ハンドオーバー要求とは、NFCタッチを行うユーザの意図からすると、その後に行われるペアリングに向けられた要求であり、より正確には２つの機器間でNFC通信部２６を用いて行われるハンドオーバーネゴシエーション時においてやり取りされる要求であって機器に固有の機器情報等を含むものである。
【００２８】
本発明に係る携帯電話機１は、他の携帯電話機１からハンドオーバー要求を受信した場合にブルートゥース通信部２５が利用可能状態ではないときには、ブルートゥース通信部２５の状態を利用可能状態に変更した上で、ブルートゥース通信部２５によって認証処理を含むペアリングを行う。制御部２１は、本発明に係る特徴的な機能として通信方式切替制御部３１、通信方式切替実行判断部３２、およびペアリング制御部３３を備える。制御部２１の通信方式切替制御部（ハンドオーバー制御部）３１は、ブルートゥース通信部２５を用いて近距離無線通信する対向機器（携帯電話機１など）との間でのペアリングする際に必要となる対向機器の機器情報とセキュリティ情報を、ブルートゥース以外の通信方式（例えばNFCの無線通信方式など）を用いて対向機器から取得する処理を制御する。具体的には、通信方式切替制御部３１は、ブルートゥース通信部２５を用いて近距離無線通信する対向機器との間でのペアリングする際に、NFC通信部２６を制御し、NFC通信部２６を用いて携帯電話機１の近傍に存在する他の携帯電話機１とネゴシエーションし、このネゴシエーション時に他の携帯電話機１からハンドオーバー要求を受信し、互いの携帯電話機１に固有の機器情報（デバイスアドレスなどを含む情報）やセキュリティ情報をネゴシエーションによってやり取りするとともに、NFC通信方式から切り替える先の通信方式（例えばブルートゥース通信部２５による通信方式）を決定し、切り替え先の通信方式への切替え（ハンドオーバー）を制御する。また、通信方式切替制御部３１は、ハンドオーバー要求の受信時に切り替え先の通信方式を決定した後、対向機器としての他の携帯電話機１に対してハンドオーバー要求に対する応答を送信する前に、通信方式切替実行判断部３２に対してハンドオーバーの可否の問合せ（ハンドオーバー可否問合せ）を通知する。通信方式切替制御部３１は、ハンドオーバー可否問合せに対する応答に従い、切り替え先の通信方式への切替え（ハンドオーバー）を制御する。
【００２９】
通信方式切替実行判断部（ハンドオーバー実行判断部）３２は、ブルートゥース通信部２５を制御し、ハンドオーバー要求の受信時に通信方式切替制御部３１により切り替え先の通信方式が決定された後に通信方式切替制御部３１からのハンドオーバー可否問合せを受け取ると、ブルートゥース通信部２５が利用可能状態であるか否かを判断する。ここで、ブルートゥース通信部２５が利用可能状態であることは、「ブルートゥースの接続要求待ちの状態（すなわち、対向機器からの接続要求を受け付けることが可能な状態）」であることを意味する。通信方式切替実行判断部３２は、ブルートゥース通信部２５が利用可能状態であると判断した場合、ハンドオーバー可否問合せに対する応答（ハンドオーバー可応答）を通信方式切替制御部３１に通知する。一方、通信方式切替実行判断部３２は、ブルートゥース通信部２５が利用可能状態ではないと判断した場合、ハンドオーバー可否問合せに対する応答（ハンドオーバー否応答）を通信方式切替制御部３１に通知するとともに、ブルートゥース通信部２５を制御し、ブルートゥース通信部２５の状態を利用可能状態に変更する。そして、通信方式切替実行判断部３２は、ブルートゥース通信部２５の状態が利用可能状態に変更されると、ハンドオーバー可否問合せに対する応答（ハンドオーバー可応答）を通信方式切替制御部３１に通知する。
【００３０】
ペアリング制御部３３は、ブルートゥース通信部２５を用いて近距離無線通信する対向機器（他の携帯電話機１）との間でのペアリングを制御する。このペアリングは、例えばSecure Simple Pairing（SSP）と呼ばれるペアリング方式である。
【００３１】
図２（Ａ）乃至（Ｃ）は、Out Of Band（OOB）と呼ばれるペアリング方式の場合に、本発明に係る携帯電話機１−１と携帯電話機１−２との間においてNFC通信部２６を用いた通信の様子を表している。図２（Ａ）および（Ｂ）が示すように、NFC通信部２６が内蔵された携帯電話機１−１が携帯電話機１−２の近傍に接近すると、携帯電話機１−２内において携帯電話機１−１から輻射された電磁波によって電磁誘導が発生し、携帯電話機１−２は、それにより生じた電流を用いて携帯電話機１−１との間で近距離無線通信（NFC通信）によりデータの授受を行う。勿論、携帯電話機１−１を携帯電話機１−２に近づけても良いし、逆に携帯電話機１−２を携帯電話機１−１に近づけるようにしても良い。また、図２（Ｃ）が示すように、２つの携帯電話機間でNFC通信する場合、２つの携帯電話機１を互いに重ね合わせるようにしてもよい。なお、互いにNFC通信可能な程度に近距離に２つの携帯電話機を近づけることや、２つの携帯電話機１を互いに重ね合わせることを「NFCタッチ」と定義する。
【００３２】
図３のフローチャートを参照して、携帯電話機１−１と携帯電話機１−２がブルートゥース通信部２５を用いてペアリングを行う場合における、図１の携帯電話機１−１におけるペアリング制御処理について説明する。このペアリング制御処理は、携帯電話機１−１がブルートゥース通信の接続を待っている場合に２つの携帯電話機の間でNFCタッチが行われるときに携帯電話機１−１で実行される。なお、図４は、図３のフローチャートを用いて説明するペアリング制御処理を実行する際の、携帯電話機１−１（自機）と携帯電話機１−２（対向機器）との間における具体的な処理のシーケンスを表している。
【００３３】
ステップＳ１において、携帯電話機１−１と携帯電話機１−２との間でNFCタッチが行われると、携帯電話機１−１の通信方式切替制御部３１は、NFC通信部２６を用いて携帯電話機１の近傍に存在する他の携帯電話機１−２とのネゴシエーションを開始する。携帯電話機１−１のNFC通信部２６は、他の携帯電話機とのネゴシエーション中に、他の携帯電話機１−２からハンドオーバー要求を受信する（図４のステップＳ３１）。このハンドオーバー要求には、他の携帯電話機１−２に固有の機器情報（デバイスアドレスなどを含む情報）と、セキュリティ情報が含まれている。他の携帯電話機１−２に固有の機器情報は「BD_ADDR=YYYYYY」である。一方、自機である携帯電話機１−１に固有の機器情報は「BD_ADDR=XXXXXX」である。
【００３４】
ステップＳ２において、携帯電話機１−１の通信方式切替制御部３１は、NFC通信部２６によって受信されたハンドオーバー要求の中から、他の携帯電話機１−２に固有の機器情報と、セキュリティ情報を取得する。携帯電話機１−１の通信方式切替制御部３１は、取得された他の携帯電話機１−２に固有の機器情報と、セキュリティ情報をペアリング制御部３３に供給する。ステップＳ３において、携帯電話機１−１の通信方式切替制御部３１は、NFC通信方式から切り替える先の通信方式をブルートゥース通信部２５による通信方式に決定する。また、通信方式切替制御部３１は、ハンドオーバー要求の受信時に切り替え先の通信方式を決定した後、対向機器としての他の携帯電話機１−２に対してハンドオーバー要求に対する応答を送信する前に、通信方式切替実行判断部３２に対してハンドオーバーの可否の問合せ（ハンドオーバー可否問合せ）を通知する（図４のステップＳ３２）。
【００３５】
ステップＳ４において、通信方式切替実行判断部（ハンドオーバー実行判断部）３２は、ブルートゥース通信部２５を制御し、ハンドオーバー要求の受信時に通信方式切替制御部３１により切り替え先の通信方式が決定された後に通信方式切替制御部３１からのハンドオーバー可否問合せを受け取ると、ブルートゥース通信部２５の状態が利用可能状態であるか否かを判断する。ステップＳ４において通信方式切替実行判断部３２が、ブルートゥース通信部２５の状態が利用可能状態であると判断した場合、通信方式切替実行判断部３２はステップＳ５で、ハンドオーバー可否問合せに対する応答（ハンドオーバー可応答）を通信方式切替制御部３１に通知する（図４のステップＳ３４）。通信方式切替制御部３１は、通信方式切替実行判断部３２からのハンドオーバー可応答を受け取ると、ブルートゥース通信部２５の状態が利用可能状態であることからNFC通信部２６からブルートゥース通信部２５へ通信方式を切り替えることが可能であると認識する。
【００３６】
その後、ステップＳ９において、通信方式切替制御部３１は、NFC通信部２６からブルートゥース通信部２５へ通信方式を切り替えることが可能であると認識すると、NFC通信部２６を用いて、ハンドオーバー要求に対する応答（ハンドオーバー応答）を他の携帯電話機１−２に送信する（図４のステップＳ３５）。
【００３７】
一方、ステップＳ４において通信方式切替実行判断部３２が、ブルートゥース通信部２５の状態が利用可能状態ではないと判断した場合、通信方式切替実行判断部３２はステップＳ６で、ハンドオーバー可否問合せに対する応答（ハンドオーバー否応答）を通信方式切替制御部３１に通知する。ステップＳ７において、通信方式切替実行判断部３２は、ブルートゥース通信部２５を制御し、ブルートゥース通信部２５の状態を利用可能状態に変更し、ブルートゥース通信部２５による接続の準備を開始する。ステップＳ８において、通信方式切替実行判断部３２は、ブルートゥース通信部２５の状態が利用可能状態に変更されると、ハンドオーバー可否問合せに対する応答（ハンドオーバー可応答）を通信方式切替制御部３１に通知する。なお、図３のペアリング制御処理の場合、一旦、ハンドオーバー可否問合せに対する応答（ハンドオーバー否応答）を通信方式切替制御部３１に通知するようにしたが、この処理は省略してもよい。その後、処理はステップＳ９に進む。
【００３８】
ステップＳ１０において、通信方式切替制御部３１は、ハンドオーバー要求（通信方式をNFC通信部２６による通信方式からブルートゥース通信部２５による通信方式に切り替える要求）をブルートゥース通信部２５に対して通知し、ブルートゥース通信部２５を用いたペアリングに向けて、通信方式をNFC通信部２６からブルートゥース通信部２５に切り替える（図４のステップＳ３６）。このとき、対向機器である携帯電話機１−２は、携帯電話機１−１からNFC通信部２６を用いて送信されたハンドオーバー要求に対する応答（ハンドオーバー応答）をNFC通信部２６で受信すると、携帯電話機１−２は、携帯電話機１−１と同様に、ハンドオーバー要求をブルートゥース通信部２５に対して通知し、携帯電話機１−１との間におけるブルートゥース通信部２５を用いたペアリングに向けて、通信方式をNFC通信部２６からブルートゥース通信部２５に切り替える（図４のステップＳ３７）。このとき、携帯電話機１−１の通信方式切替制御部３１は、ハンドオーバー要求に基づいて（通信方式をNFC通信部２６による通信方式からブルートゥース通信部２５による通信方式に切り替えてハンドオーバー要求が許可された他の携帯電話機１−２との間でペアリングを開始することをペアリング制御部３３に通知する。
【００３９】
その後、携帯電話機１−２は、携帯電話機１−１との間でブルートゥース接続の確立を要求する接続要求をブルートゥース通信部２５を介して携帯電話機１−１に送信する（図４のステップＳ３８）。ステップＳ１１において、携帯電話機１−１のペアリング制御部３３は、ブルートゥース通信部２５を用いて携帯電話機１−２から接続要求を受信する。ステップＳ１２において、携帯電話機１−１のペアリング制御部３３は、受信された接続要求に基づいて２つの携帯電話機１間でペアリング処理を開始するために、ブルートゥース通信部２５を用いて接続要求に対する応答を携帯電話機１−２に送信する（図４のステップＳ３９）。
【００４０】
ステップＳ１３において、携帯電話機１−１のペアリング制御部３３は、ステップＳ２で取得された他の携帯電話機１−２からの機器情報とセキュリティ情報に基づいて、ブルートゥース通信部２５を用いて他の携帯電話機１との間でのペアリングを制御する（図４のステップＳ４０）。このペアリングは、例えばSecure Simple Pairing（SSP）と呼ばれるペアリング方式である。これにより、携帯電話機１−１と携帯電話機１−２との間でブルートゥース接続が確立される。
【００４１】
本発明に係る通信端末に適用可能な携帯電話機は、第１の無線通信部（NFC通信部２６）を用いて通信端末と対向機器との間で無線通信し、第２の無線通信部（ブルートゥース通信部）を用いて通信端末と対向機器との間で無線通信し、通信端末と対向機器とが互いに第１の無線通信部により無線通信可能な範囲で近接する場合に、第１の無線通信部から第２の無線通信部に通信方式を切り替える通信方式切替要求を、第１の無線通信部が対向機器から受信するとき、第２の無線通信部の状態が利用可能状態であるか否かを判断し、第２の無線通信部の状態が利用可能状態であると判断される場合、第１の無線通信部を用いて通信方式切替要求に対して対向機器に応答するとともに、通信方式切替要求に基づいて、第１の無線通信部から第２の無線通信部に通信方式を切り替え、第２の無線通信部が対向機器からの接続要求を受信する場合、第１の無線通信部を用いて取得される対向機器からの機器情報とセキュリティ情報に基づいて、第２の無線通信部を用いて対向機器との間でのペアリングを制御することができる。
【００４２】
これにより、本発明に係る通信端末に適用可能な携帯電話機は、第１の無線通信部であるNFC通信部２６を用いて通信方式の切り替えに関するネゴシエーションをした後に、第２の無線通信部であるブルートゥース通信部２５を用いた接続要求を対向機器から確実に受け入れることができ、シームレスに接続することができる。
【００４３】
なお、ブルートゥース通信部２５の代わりに、第２の無線通信部としてWLANを用いるようにしてもよいし、他の無線通信手段を用いるようにしてもよい。
【００４４】
ところで、携帯電話機１が第１の対向機器（対向機器Ａ）との間でNFCを用いてハンドオーバーに関するネゴシエーションをした後にNFCの通信方式からブルートゥースの通信方式へハンドオーバーしてブルートゥースによるSecure Simple Pairing（SSP）を開始するまでの間に、携帯電話機１は、携帯電話機１がNFCを用いてハンドオーバーに関するネゴシエーションをした第１の対向機器（対向機器Ａ）と異なる第２の対向機器（対向機器Ｃ）から接続要求を受信してしまう。NFCを用いた近距離無線通信の場合、１０乃至３０ｃｍ程度の距離に存在する携帯電話機１の間で簡略化したセキュリティの確認手続きのみでデータ通信を行うことができるからである。
【００４５】
その結果、携帯電話機１が第２の対向機器（対向機器Ｃ）からペアリングの要求を受信した後に第１の対向機器（対向機器Ａ）から接続要求を受信したとしても、携帯電話機１は、第１の対向機器（対向機器Ａ）に対してブルートゥースへのハンドオーバーを許可したにもかかわらず第１の対向機器（対向機器Ａ）からの接続要求に基づくSSPの要求（認証要求）を受け入れることができなくなってしまう。そこで、本発明に係る通信端末に適用可能な携帯電話機１は、NFC通信部２６を用いて通信方式の切り替えに関するネゴシエーションをした後にブルートゥース通信部２５による認証を開始するまでの間に、ハンドオーバーを許可した第１の対向機器（対向機器Ａ）からの接続要求のみを受け付けるとともに他の対向機器からのペアリングの要求を受け付けないようにガード処理（拒否し）、ブルートゥース通信部２５を用いた接続要求を所望の対向機器から好適に受け入れることができる。以下、この方法を用いたペアリング制御処理について説明する。
【００４６】
図５のフローチャートを参照して、携帯電話機１−１と携帯電話機１−２がブルートゥース通信部２５を用いてペアリングを行う場合における、図１の携帯電話機１−１における他のペアリング制御処理について説明する。このペアリング制御処理は、携帯電話機１−１がブルートゥース通信の接続を待っている場合に２つの携帯電話機の間でNFCタッチが行われるときに携帯電話機１−１で実行される。なお、図６は、図５のフローチャートを用いて説明するペアリング制御処理を実行する際の、携帯電話機１−１（自機）と携帯電話機１−２（対向機器）との間における具体的な処理のシーケンスを表している。なお、図５のステップＳ６１乃至Ｓ６４の処理は、図３のステップＳ１乃至Ｓ２、およびステップＳ９乃至Ｓ１０の処理と同様であり、その説明は繰り返しになるので省略する。また、図６のシーケンス図におけるステップＳ１０１乃至Ｓ１０４の処理は、図４のシーケンス図におけるステップＳ３１、およびステップＳ３５乃至Ｓ３７の処理と同様である。
【００４７】
ステップＳ６４において、携帯電話機１−１の通信方式切替制御部３１は、ハンドオーバー要求（通信方式をNFC通信部２６による通信方式からブルートゥース通信部２５による通信方式に切り替える要求）をブルートゥース通信部２５に対して通知し、ブルートゥース通信部２５を用いたペアリングに向けて、通信方式をNFC通信部２６からブルートゥース通信部２５に切り替える（図６のステップＳ１０３）。このとき、携帯電話機１−１の通信方式切替制御部３１は、ハンドオーバー要求に基づいて（通信方式をNFC通信部２６による通信方式からブルートゥース通信部２５による通信方式に切り替えてハンドオーバー要求が許可された他の携帯電話機１−２との間でペアリングを開始することをペアリング制御部３３に通知する。
【００４８】
ステップＳ６５において、携帯電話機１−１のペアリング制御部３３は、時計回路を用いて、ハンドオーバー要求を許可した他の携帯電話機１−２からの接続要求の受信を待つ受信待機時間を所定の時間（例えば１０秒間など）に設定する。ステップＳ６６において、携帯電話機１−１のペアリング制御部３３は、ブルートゥース通信部２５を用いて、ハンドオーバー要求を許可した他の携帯電話機１−２からの接続要求の受信を待機する。このとき、携帯電話機１−１のペアリング制御部３３は、ハンドオーバー要求を許可した他の携帯電話機１−２からの接続要求のみを許可して受け付ける（図６のステップＳ１０５）。このとき、携帯電話機１−１のペアリング制御部３３は、携帯電話機１−１以外の他の携帯電話機１から受信した接続要求に含まれるデバイスアドレスに基づいて、受信した接続要求がハンドオーバー要求を許可した他の携帯電話機１−２からの接続要求であるか否かを判断する。なお、ハンドオーバー要求を許可した他の携帯電話機１−２に固有の機器情報（デバイスアドレス）は、「BD_ADDR=YYYYYY」である。
【００４９】
ステップＳ６７において、携帯電話機１−１のペアリング制御部３３は、ブルートゥース通信部２５を制御し、携帯電話機１−１以外の他の携帯電話機１から接続要求を受信したか否かを判断する。ステップＳ６７においてペアリング制御部３３が、携帯電話機１−１以外の他の携帯電話機１から接続要求を受信したと判断した場合、ペアリング制御部３３はステップＳ６８で、携帯電話機１−１以外の他の携帯電話機１から受信した接続要求が、ハンドオーバー要求を許可した他の携帯電話機１−２からの接続要求であるか否かを判断する。ステップＳ６８において携帯電話機１−１のペアリング制御部３３が、他の携帯電話機１から受信した接続要求がハンドオーバー要求を許可した他の携帯電話機１−２からの接続要求ではないと判断した場合、携帯電話機１−１のペアリング制御部３３はステップＳ６９で、ブルートゥース通信部２５を用いて、ハンドオーバー要求を許可していない他の携帯電話機１からの接続要求に対して拒否応答を送信する（図６のステップＳ１０６とＳ１０７）。図６のステップ１０６では、携帯電話機１−１は、ハンドオーバー要求を許可していない他の携帯電話機１（対向機器Ｃ）からの接続要求を受信していることから、図６のステップＳ１０７で、ハンドオーバー要求を許可していない他の携帯電話機１（対向機器Ｃ）からの接続要求に対して拒否応答を送信する。これにより、ハンドオーバー要求を許可していない他の携帯電話機１（対向機器Ｃ）からのペアリングの要求を受け付けないようにガード処理（拒否し）することができる。
【００５０】
その後、処理はステップＳ６６に戻り、携帯電話機１−１は、他の携帯電話機１からの接続要求の受信を待機する。
【００５１】
一方、ステップＳ６８において携帯電話機１−１のペアリング制御部３３が、他の携帯電話機１から受信した接続要求がハンドオーバー要求を許可した他の携帯電話機１−２からの接続要求であると判断した場合、携帯電話機１−１のペアリング制御部３３はステップＳ７０で、受信された接続要求に基づいて２つの携帯電話機１間でペアリング処理を開始するために、ブルートゥース通信部２５を用いて接続要求に対する応答を携帯電話機１−２に送信する（図６のステップＳ１０８）。
【００５２】
ステップＳ７１において、携帯電話機１−１のペアリング制御部３３は、ステップＳ６２で取得された他の携帯電話機１−２からの機器情報とセキュリティ情報に基づいて、ブルートゥース通信部２５を用いて他の携帯電話機１との間でのペアリングを制御する（図６のステップＳ１１０）。
【００５３】
一方、テップＳ６７においてペアリング制御部３３が、携帯電話機１−１以外の他の携帯電話機１から接続要求を受信していないと判断した場合、携帯電話機１−１のペアリング制御部３３はステップＳ７２で、設定された受信待機時間が経過したか否かを判断する。ステップＳ７２において携帯電話機１−１のペアリング制御部３３が、設定された受信待機時間が経過していないと判断した場合、携帯電話機１−１のペアリング制御部３３はステップＳ７４で、ユーザにより操作部２２が操作されることによりペアリング処理と異なる別の動作に関する要求を受け付けたか否かを判断する。ステップＳ７４において携帯電話機１−１のペアリング制御部３３が、ペアリング処理と異なる別の動作に関する要求を受け付けていないと判断した場合、処理はステップＳ６６に戻り、設定された受信待機時間が経過するまで他の携帯電話機１からの接続要求の受信が待機し続けられる。一方、ステップＳ７２において携帯電話機１−１のペアリング制御部３３が、設定された受信待機時間が経過したと判断した場合や、ペアリング処理と異なる別の動作に関する要求を受け付けたと判断した場合、携帯電話機１−１のペアリング制御部３３は、設定された受信待機時間が経過したことや、ペアリング処理と異なる別の動作に関する要求を受け付けたことを通信方式切替制御部３１に通知する。ステップＳ７３において通信方式切替制御部３１は、他の携帯電話機１−２から受信したハンドオーバー要求を破棄する。その後、ペアリング処理は終了する。
【００５４】
本発明に係る通信端末に適用可能な携帯電話機は、第１の無線通信部を用いて通信端末と第１の対向機器との間で無線通信し、第２の無線通信部を用いて通信端末と第１の対向機器との間で無線通信し、通信端末と第１の対向機器とが互いに第１の無線通信部により無線通信可能な範囲で近接する場合に、第１の無線通信部から第２の無線通信部に通信方式を切り替える通信方式切替要求を、第１の無線通信部が第１の対向機器から受信するとき、第１の無線通信部を用いて通信方式切替要求に対して第１の対向機器に応答するとともに、通信方式切替要求に基づいて、第１の無線通信部から第２の無線通信部に通信方式を切り替え、第２の無線通信部が受信する第１の対向機器からの接続要求のみを受け付け、第１の対向機器からの接続要求に対して第２の無線通信部を用いて応答し、第１の無線通信部を用いて取得される第１の対向機器からの機器情報とセキュリティ情報に基づいて、第２の無線通信部を用いて第１の対向機器との間でのペアリングを制御することができる。
【００５５】
これにより、本発明に係る通信端末に適用可能な携帯電話機は、携帯電話機がブルートゥース通信部２５を用いて他の携帯電話機から接続要求の受信を待機する（待つ）場合に、NFC通信部２６を用いて通信方式の切り替えに関するネゴシエーションをした後にブルートゥース通信部２５による認証を開始するまでの間に、ハンドオーバーを許可した第１の対向機器からの接続要求のみを受け付けるとともに他の対向機器からのペアリングの要求を受け付けないようにガード処理（拒否し）、ブルートゥース通信部２５を用いた接続要求を所望の対向機器から好適に受け入れることができる。
【００５６】
なお、図５と図６の場合、携帯電話機１−１がブルートゥース通信部２５を用いて他の携帯電話機１−２から接続要求の受信を待機する（待つ）場合について記載しているが、このような場合に限られず、例えば携帯電話機１−１がブルートゥース通信部２５を用いて他の携帯電話機１−２に対して接続要求を送信する場合についても本発明を適用することができる。この場合におけるペアリング制御処理は、図７のフローチャートに示される。
【００５７】
図７のフローチャートを参照して、携帯電話機１−１と携帯電話機１−２がブルートゥース通信部２５を用いてペアリングを行う場合における、図１の携帯電話機１−１における他のペアリング制御処理について説明する。なお、図７のステップＳ２０１乃至Ｓ２０４の処理は、図３のステップＳ１乃至Ｓ２、およびステップＳ９乃至Ｓ１０の処理と同様であり、その説明は繰り返しになるので省略する。
【００５８】
ステップＳ２０４において、携帯電話機１−１の通信方式切替制御部３１は、ハンドオーバー要求（通信方式をNFC通信部２６による通信方式からブルートゥース通信部２５による通信方式に切り替える要求）をブルートゥース通信部２５に対して通知し、ブルートゥース通信部２５を用いたペアリングに向けて、通信方式をNFC通信部２６からブルートゥース通信部２５に切り替える。このとき、携帯電話機１−１の通信方式切替制御部３１は、ハンドオーバー要求に基づいて（通信方式をNFC通信部２６による通信方式からブルートゥース通信部２５による通信方式に切り替えてハンドオーバー要求が許可された他の携帯電話機１−２との間でペアリングを開始することをペアリング制御部３３に通知する。
【００５９】
ステップＳ２０５において、携帯電話機１−１のペアリング制御部３３は、時計回路を用いて、ハンドオーバー要求を許可した他の携帯電話機１−２に対して接続要求を送信するまでの送信時間を所定の時間（例えば１０秒間など）に設定する。ステップＳ２０６において、携帯電話機１−１のペアリング制御部３３は、ブルートゥース通信部２５を用いて、ハンドオーバー要求を許可した他の携帯電話機１−２に対して接続要求の送信を開始する。ステップＳ２０７において、携帯電話機１−１のペアリング制御部３３は、ブルートゥース通信部２５を用いて、ハンドオーバー要求を許可した他の携帯電話機１−２からの接続要求の受信を待機する。このとき、携帯電話機１−１のペアリング制御部３３は、ハンドオーバー要求を許可した他の携帯電話機１−２からの接続要求のみを許可して受け付ける。このとき、携帯電話機１−１のペアリング制御部３３は、携帯電話機１−１以外の他の携帯電話機１から受信した接続要求に含まれるデバイスアドレスに基づいて、受信した接続要求がハンドオーバー要求を許可した他の携帯電話機１−２からの接続要求であるか否かを判断する。
【００６０】
ステップＳ２０８において、携帯電話機１−１のペアリング制御部３３は、ブルートゥース通信部２５を制御し、ハンドオーバー要求を許可した他の携帯電話機１−２に対する接続要求の送信が完了するまでの間に、携帯電話機１−１以外の他の携帯電話機１から接続要求を受信したか否かを判断する。ステップＳ２０８においてペアリング制御部３３が、ハンドオーバー要求を許可した他の携帯電話機１−２に対する接続要求の送信が完了するまでの間に、携帯電話機１−１以外の他の携帯電話機１から接続要求を受信したと判断した場合、ペアリング制御部３３はステップＳ２０９で、携帯電話機１−１以外の他の携帯電話機１から受信した接続要求が、ハンドオーバー要求を許可した他の携帯電話機１−２からの接続要求であるか否かを判断する。ステップＳ２０９において携帯電話機１−１のペアリング制御部３３が、他の携帯電話機１から受信した接続要求がハンドオーバー要求を許可した他の携帯電話機１−２からの接続要求ではないと判断した場合、携帯電話機１−１のペアリング制御部３３はステップＳ２１０で、ブルートゥース通信部２５を用いて、ハンドオーバー要求を許可していない他の携帯電話機１からの接続要求に対して拒否応答を送信する。その後、処理はステップＳ２０７に戻り、携帯電話機１−１は、他の携帯電話機１からの接続要求の受信を待機する。
【００６１】
一方、ステップＳ２０９において携帯電話機１−１のペアリング制御部３３が、ハンドオーバー要求を許可した他の携帯電話機１−２に対する接続要求の送信が完了するまでの間に、他の携帯電話機１から受信した接続要求がハンドオーバー要求を許可した他の携帯電話機１−２からの接続要求であると判断した場合、携帯電話機１−１のペアリング制御部３３はステップＳ２１１で、ハンドオーバー要求を許可した他の携帯電話機１−２に対して送信する接続要求（自機からの接続要求）を破棄する。ステップＳ２１２において、携帯電話機１−１のペアリング制御部３３は、受信された接続要求に基づいて２つの携帯電話機１間でペアリング処理を開始するために、ブルートゥース通信部２５を用いて接続要求に対する応答を携帯電話機１−２に送信する。ステップＳ２１３において、携帯電話機１−１のペアリング制御部３３は、ステップＳ２０２で取得された他の携帯電話機１−２からの機器情報とセキュリティ情報に基づいて、ブルートゥース通信部２５を用いて他の携帯電話機１との間でのペアリングを制御する。
【００６２】
一方、ステップＳ２０８においてペアリング制御部３３が、ハンドオーバー要求を許可した他の携帯電話機１−２に対する接続要求の送信が完了するまでの間に、携帯電話機１−１以外の他の携帯電話機１から接続要求を受信していないと判断した場合、携帯電話機１−１のペアリング制御部３３はステップＳ２１４で、設定された送信時間が経過したか否かを判断する。ステップＳ２１４において携帯電話機１−１のペアリング制御部３３が、設定された送信時間が経過していないと判断した場合、携帯電話機１−１のペアリング制御部３３はステップＳ２１６で、ユーザにより操作部２２が操作されることによりペアリング処理と異なる別の動作に関する要求を受け付けたか否かを判断する。ステップＳ２１６において携帯電話機１−１のペアリング制御部３３が、ペアリング処理と異なる別の動作に関する要求を受け付けていないと判断した場合、処理はステップＳ２０７に戻り、ハンドオーバー要求を許可した他の携帯電話機１−２に対する接続要求の送信が完了しない限り、設定された送信時間が経過するまで他の携帯電話機１からの接続要求の受信が待機し続けられる。一方、ステップＳ２１６において携帯電話機１−１のペアリング制御部３３が、設定された送信時間が経過したと判断した場合や、ペアリング処理と異なる別の動作に関する要求を受け付けたと判断した場合、携帯電話機１−１のペアリング制御部３３は、設定された送信時間が経過したことや、ペアリング処理と異なる別の動作に関する要求を受け付けたことを通信方式切替制御部３１に通知する。ステップＳ２１５において通信方式切替制御部３１は、他の携帯電話機１−２から受信したハンドオーバー要求を破棄する。その後、ペアリング処理は終了する。
【００６３】
本発明に係る通信端末に適用可能な携帯電話機は、第１の無線通信部を用いて通信端末と第１の対向機器との間で無線通信し、第２の無線通信部を用いて通信端末と第１の対向機器との間で無線通信し、通信端末と第１の対向機器とが互いに第１の無線通信部により無線通信可能な範囲で近接する場合に、第１の無線通信部から第２の無線通信部に通信方式を切り替える通信方式切替要求を、第１の無線通信部が第１の対向機器から受信するとき、第１の無線通信部を用いて通信方式切替要求に対して第１の対向機器に応答するとともに、通信方式切替要求に基づいて、第１の無線通信部から第２の無線通信部に通信方式を切り替え、通信端末が第１の対向機器に対して接続要求を送信する場合に、第２の無線通信部が受信する第１の対向機器からの接続要求のみを受け付け、第１の対向機器からの接続要求に対して第２の無線通信部を用いて応答し、第１の無線通信部を用いて取得される第１の対向機器からの機器情報とセキュリティ情報に基づいて、第２の無線通信部を用いて第１の対向機器との間でのペアリングを制御することができる。
【００６４】
これにより、本発明に係る通信端末に適用可能な携帯電話機は、携帯電話機１−１がブルートゥース通信部２５を用いて他の携帯電話機１−２に対して接続要求を送信する場合、NFC通信部２６を用いて通信方式の切り替えに関するネゴシエーションをした後にブルートゥース通信部２５による認証を開始するまでの間に、ハンドオーバーを許可した第１の対向機器からの接続要求のみを受け付けるとともに他の対向機器からのペアリングの要求を受け付けないようにガード処理（拒否し）、ブルートゥース通信部２５を用いた接続要求を所望の対向機器から好適に受け入れることができる。
【００６５】
なお、本発明の実施形態において説明した一連の処理は、ソフトウェアにより実行させることもできるが、ハードウェアにより実行させることもできる。
【００６６】
また、本発明の実施形態では、フローチャートのステップは、記載された順序に沿って時系列的に行われる処理の例を示したが、必ずしも時系列的に処理されなくとも、並列的あるいは個別実行される処理をも含むものである。
【符号の説明】
【００６７】
１（１−１乃至１−２）…携帯電話機、１１…送受信アンテナ、１２…送受信共用器、１３…無線送受信部、１４…信号処理部、１５…データ処理部、１６…ＰＣＭコーデック、１７…受話増幅器、１８…レシーバ、１９…送話増幅器、２０…マイクロフォン、２１…制御部、２２…操作部、２３…表示部、２４…コンテンツ処理部、２５…ブルートゥース通信部、２６…NFC通信部、２７…記憶部、３１…通信方式切替制御部、３２…通信方式切替実行判断部、３３…ペアリング制御部。
【図１】
0005509874.tif 000002
【図２】
0005509874.tif 000003
【図３】
0005509874.tif 000004
【図４】
0005509874.tif 000005
【図５】
0005509874.tif 000006
【図６】
0005509874.tif 000007
【図７】
0005509874.tif 000008